(57)【要約】【課題】髪巻き具に毛髪を巻き付けて帽子又はサンバイザー又はスカーフ等かぶりものを被った際の押圧力を受けた後であっても、毛髪の取り外し時の抜け毛の発生を防止し、毛髪を全く引っ張ることなく頭皮や毛髪の付け根に痛みを感じさせない髪巻き具を提供することである。【解決手段】本発明は、弾発性を有する一本の線材を連続的に曲げて一方の側部に連続した輪状を形成し、毛髪狭持部を介して他の側部に櫛の歯状を形成した該櫛部材と、柔軟な弾力を有する素材を用いて形成する保持部材から成り、前記毛髪を容易に巻き付け可能で、且つ、前記巻き付けた毛髪のセットを保持し取り外し時に毛髪が絡むことなく、帽子等が風で吹き飛ばされるのを防止する、保持部材を該櫛状部材の側部に設けたことである。【選択図】        図３
2004261544.tif 000002
【特許請求の範囲】
【請求項１】
弾発性を有する一本の線材を曲げ、一方の側部に輪状を連続して形成し、毛髪狭持部を介して他の側部に櫛の歯状を連続して形成した該櫛状部材と、柔軟な弾力性を有する素材を用いて形成する保持部材からなり、帽子又はサンバイザー等を着用に際しヘアーセットの形状を保持し又は風等により着用の前記帽子又は前記サンバイザーが吹き飛ばされることを防止する髪巻き具に於いて、前記保持部材に毛髪の巻き付けが容易で、且つ、前記巻き付けた前記毛髪の形状を保持し又、前記毛髪の取り外し時、前記巻き付けた毛髪が絡むことなく滑らかに取り外し可能な、毛髪の保持部材を該櫛状部材の一方の側部に設けたことを特徴とする髪巻き具。
【発明の詳細な説明】
【０００１】
【発明の属する技術分野】
この発明は、帽子又はサンバイザー等着用時風による帽子の吹き飛びを防ぎ、帽子の押圧力によるヘアーセットの乱れを防止するための髪巻き具に関する物である。
【０００２】
【従来の技術】
保持部材を形成する基材の面に弾発性を有する線状の素材を用いて多数のループ状を形成しこのループ状の頂点付近を切り欠いて開口部を形成し開口部より毛髪を押入し狭持させ、櫛状の部分を毛髪の生え際に挿着することによって毛髪を巻き締めた状態を保持し、且つ、帽子やサンバイザーが風で飛ぶことを防止し、髪型の乱れを防止すると言う考え方がある。（例えば特許文献１参照）
【０００３】
【特許文献１】
特開２００１−２１８６１６号公報
【０００４】
【発明が解決しようとする課題】
しかし、上記の考え方の場合、（例えば図１１、図１２参照）保持部材に毛髪を巻き付けるに於いて、ループ状９２の頂点付近に設けた切り欠きによって開口部８２が形成されている。
【０００５】
このため、切り欠いた先端はループ状９２に対し、中心方向に向かって形成され、ループ状９２の先端方向から毛髪を押入した場合、ループ状９２を形成するアール部分３３、３３に誘導されて複数のループ状９２とループ状９２の間２２に押入され、ループ状９２内に押入される毛髪の量に対し、間２２に誘導される毛髪の量が多くなり、ループ状９２は内側に向かって押し潰され、切り欠きによって形成された開口部８２は閉鎖され、先端がカギ状になってループ状９２の間２２方向に突出すると共に、巻き付けて保持された毛髪を解き外す場合、強固に毛髪はカギ状の部分が必要以上に握持し、その抵抗によって、毛髪を解き外す場合、毛髪が強く引っ張られ、抜け毛や、毛髪の生え際に痛みを感ずる。
特に、これを着用して帽子又はサンバイザー等を被った場合、毛髪の上から押圧力が働き、絡まって握持作用を助長させ、解き外しにくくなる。
【０００６】
従って、本発明が解決しようとする課題は、髪巻き具に毛髪を巻き付けた際、必要以上に毛髪を握持することなく、柔らかく保持し、帽子又はサンバイザー等を被って押圧力を加えた後であっても、毛髪の解き外しが容易で、毛髪を引っ張ることなく、解き外し時の抜け毛の発生を完全に防止し、毛髪を傷めることなく頭皮に全く痛みを感じさせることの無い髪巻き具を提供することである。
【０００７】
【課題を解決するための手段】
本発明は、弾発性を有する一本の線材を曲げ、一方の側部に輪状を連続して形成し、毛髪狭持部を介して他の側部に櫛の歯状を連続して形成した該櫛部材と、柔軟な弾力性を有する素材を用いて形成する保持部材から成り、帽子又はサンバイザー等を着用に際し、ヘアーセットの形状を保持し、又は、風等により着用の前記帽子又はサンバイザーが吹き飛ばされることを防止する髪巻き具に於いて、前記保持部材に毛髪の巻き付きが容易で、且つ、前記巻き付けた前記毛髪の形状を保持し又、前記毛髪の解き外し時、前記巻き付けた毛髪が絡むことなく滑らかに解き外し可能な、毛髪の保持部材を該櫛状部材の一方の側部に設けたことである。
【０００８】
【発明の実施の形態】
弾発性を有する一本の線材１を用いて一方の側部に輪状２を形成し曲げながら狭持部３を介して他の側部に櫛の歯状４を形成しつつ連接する構成される櫛状部材Ａの輪状２に複数方向に連接し立体的な網状を形成する保持部材Ｂの面６に連接部材Ｃを介して連接してある。
この時、保持部材Ｂは柔軟で弾力性を有する素材であることが望ましく、合成樹脂等を用いて立体的な網状であることが望ましく、全周面に網状を形成する軸が不特定方向に向かって連結していることが好ましく、この立体的な網状を裁断することによって、表面に多数の細い棒状の突起Ｔを形成することが望ましい。
【０００９】
更に、連接部材Ｃは糸等でも良く、輪状２と保持部材Ｂの面６に設けるに当たり、連接部５を構成する連接部材Ｃは、若干の伸縮性を有すると良く、例えば伸縮性糸等であれば逢着等の連接作業が行場合、ある程度連接部分に融通性が生じ、このため連接作業がいやすくなる。
【００１０】
【実施例】
以下本発明の実施例を図面に基づいて説明すると、弾発性を有する一本の線材１を用いて折り曲げながら一方の側部に輪状２を形成しつつ、狭持部３を介して他の側部に櫛の歯状４を曲設し、これを連続的に形成された櫛状部材Ａの櫛の歯状４のパターン（図１）を複数用い、複数の輪状２に保持部材Ｂ（図２）を連接部材Ｂ介して設けてあり（図３）、この保持部材Ｂは複数方向に連接し立体的な網状である程度の柔軟であり、この立体的網状を裁断若しくは切断した際、面６に於いて、不特定方向に向かう細い棒状が突起Ｔを形成している（一部を拡大した状態、図４）、ほんの一例を述べれば、例えばエアーコンデショナーの吹き出し口のフィルター材等の様な物が好ましい。
【００１１】
この棒状の突起１３が不特定方向を向いているため、毛髪を巻き付けて保持した場合、棒状の突起１３によって毛髪を狭持又は握持することがなく、丁度髪を解かすブラシのように毛髪を巻き付ける際に摩擦抵抗を与え、毛髪が巻き付きやすくする効果がある。
従って、毛髪を巻き付けた際の棒状は外側に向かって突起しているばかりでなく、棒状の背部は網状に連結しているため、隙間に毛髪が入り込み挟み込む現象は全く生じない、従って毛髪で巻き締めた場合、毛髪の巻き締めによる押圧力が作用しても毛髪を狭持又は握持することのない。
【００１２】
更に、保持部材Ｂの面６に輪状２を連接する連接部材Ｃとしては糸状であって、若干の伸縮性を有することが好ましく、糸ゴム等を用いて逢着も可能で、この場合、連接部５に若干の伸縮性を持たせることで、連接作業時に於ける糸の張りを適宜にすることが容易で、又、使用回数を重ねることで生ずる糸のゆるみから来不安定性を緩和することもできる。
【００１３】
又、連接部５の部分に柔軟性を持たせることで、毛髪の巻き付け時に軽く柔軟（ソフト）に巻き付けることができ、帽子又はサンバイザー等を着用した場合緩やかな弾力性を呈するため帽子又はサンバイザー又はスカーフ等の押圧力に依るも髪型が崩れることなく、更に、帽子又はスカーフ等を着用した場合の若干の蒸れや体温の上昇に伴う髪型の変形等も皆無となり、柔軟性によって着用時の違和感が無く頭部の外径を膨らませることができる結果、風に吹かれたり、自転車等に乗る場合でも帽子等が吹き飛ばされることは皆無であり、又は解き外し時においても極めて滑らかに解き外すことができる様に構成してある。
【００１４】
従って上記の如くであるから、本発明の髪巻き具を使用するには、用いようとする部分の髪先を櫛の歯状４を差し（図示しないが）内側に向かって保持部材Ｂと共に巻き付けて、毛髪の生え際に櫛の歯状４を挿し付けて安定的に固定する。
【００１５】
この場合、用いる髪巻き具の数は必要に応じ決めると良く、例えば、髪のウエーブやカールの罹った部分に用いればよく、櫛の歯状４の幅は（ほんの一例ではあるが）櫛の歯状４を数個程度連接した幅にすると、毛髪を巻き付ける場合適宜な幅となり、巻き付け作業が容易であり、巻き付ける場所も通常前髪とその付近が中心となるから数個で済み、手数もかからない。
【００１６】
更に、保持部材Ｂの面に柔軟で細い棒状の突起Ｔが、外向で不特定方向に突起しているため巻き締めた毛髪は、下層の毛髪を細い棒状の突起Ｔを介して押圧し、巻き付け作業時の毛髪を安定させると共に、毛髪を巻き締めを解く場合、細い棒状の突起Ｔに対する押圧が無くなると解放状態となり、毛髪を狭持又は握持することはないから毛髪を引っ張る必要が無く、従って、毛髪の解き外し時、頭皮や毛髪の生え際に生ずる痛みは無痛となり、抜け毛等の発生を完全に防止することができる。
【００１７】
又、髪巻き具に毛髪を巻き付けて帽子、又はサンバイザー等を着用した場合、髪巻き具の柔軟で適宜な弾性が、パットの役割をして自転車や強風に見舞われても、かぶり物が飛ばされることは全くなく、柔軟で適宜な弾性によって、巻き締めた毛髪が押し潰れることがないため、かぶり物を取った後でもヘアーセットはそのままで維持されている。
【００１８】
図５は本発明の第２実施例の保持部材を示すもので、柔軟である程度の弾発性を有する多孔質体からなる保持部材７とすることもでき、この場合、（第１実施例のように連接部材を用いて連接することも可能であるが）、適宜な厚みと長さの切り裂き部８を設け（本実施例のほんの一例として）、切り裂き部８に輪状２を挿入し切り裂き部８を接着又は粘着等によって接続することも可能である。
【００１９】
この場合、例えば（ほんの一例として）保持部材７に毛髪を狭持又は握持するための複数のスリット１３を設けることも可能で、スリット１３は保持部材７に毛髪を巻き付ける場合、最初、毛髪の先端付近を複数のスリット１３に依って、微弱な力で保持することのできる程度が好ましく、複数方向に向かって設け（図７）ることも可能で、更に、保持部材７を円柱状（図示しない）に形成することも可能であり、又は、略かまぼこ形（図８）に形成しスリット１３を設け、輪状２に設けることもできる。
【００２０】
この実施例に於いても、保持部材７が柔軟でスリット１３によって保持された毛髪を握持するような突起や爪状がないため、他の実施例と同様に使用することができるため、同様の作用と効果を得ることができる。
【００２１】
図９、図１０は、本発明の第３実施例の保持部材を示す斜視図で、柔軟で適宜の弾発性を有する摩擦係数の高いシート状の素材９を用いて、側部１１、１１合わせ中央付近を湾曲させて略ブリッジ状１２とし、筒状の保持部材１４を形成することも可能であり、この実施例に於いてはシート状の素材９を筒状に形成することにより、シート状の素材９に補強効果が生じるため、柔軟であってもり、変形し難い保持部材１４が得られるため、他の実施例と同様の作用及び効果を得ることができる。
【発明の効果】
上記の如く、髪巻き具に毛髪を巻き付けて後帽子又はサンバイザー又はスカーフ等のかぶり物を被って押圧力を加えた後であっても、毛髪の抜け毛の発生を完全に防止し、毛髪を全く引っ張ることなく取り外しができるため頭皮や毛髪の付け根に痛みを感ずることは全くない髪巻き具を提供することができるものである。
【図面の簡単な説明】
【図１】本発明に用いるの櫛状部材を示す斜視図である。
【図２】本発明の保持部材を示す斜視図である。
【図３】本発明の第１実施例の櫛部材と保持部材を連接した状態を示す斜視図である。
【図４】本発明の第２実施例の保持部材の一部を示す拡大の斜視図である。
【図５】本発明の第２実施例の保持部材を示す斜視図である。
【図６】本発明の第２実施例の櫛部材と保持部材と連接した状態を示す斜視図である。
【図７】本発明の第２実施例の保持部材の一例を示す斜視図である。
【図８】本発明の第２実施例の保持部材の一例を示す斜視図である。
【図９】本発明の第３実施例の保持部材を示す斜視図である。
【図１０】本発明の第３実施例の櫛状部材に保持部材を設けた状態を示す斜視図である。
【図１１】従来技術の保持部材を示す参考斜視図である。
【図１２】従来技術の保持部材拡大した一部で保持部材が閉じた状態を示す参考斜視図である。
【符号の説明】
１  線材
Ａ  櫛状部材
２  輪状
３  狭持部
４  櫛の歯状部
Ｂ  保持部材
５  連設部
Ｃ  連接部材
６  面
Ｔ  突起
７  保持部
８  切り裂き部
９  保持部材
１１  保持部材側部
１２  略ブリッジ状
１３  スリット
【図１】
2004261544.tif 000003
【図２】
2004261544.tif 000004
【図３】
2004261544.tif 000005
【図４】
2004261544.tif 000006
【図５】
2004261544.tif 000007
【図６】
2004261544.tif 000008
【図７】
2004261544.tif 000009
【図８】
2004261544.tif 000010
【図９】
2004261544.tif 000011
【図１０】
2004261544.tif 000012
【図１１】
2004261544.tif 000013
【図１２】
2004261544.tif 000014